【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
無線通信の方法であって、
ユーザ機器（ＵＥ）において、帯域を使用する事業者と関連付けられる事業者識別子または前記帯域を使用する前記事業者と関連付けられるクリアチャネルアセスメント（ＣＣＡ）スロットインデックスのうちの少なくとも１つに基づいて、シーケンス値を決定することと、
前記ＵＥが、前記決定されたシーケンス値に基づいて、少なくとも１つのチャネルを使用して前記帯域を通じて通信することと
を具備し、前記少なくとも１つのチャネルを使用して前記帯域を通じて通信することは、前記決定されたシーケンス値に基づいて前記少なくとも１つのチャネルのデータをスクランブルすること、または、前記決定されたシーケンス値によって前記少なくとも１つのチャネルのデータをインターリーブすることのうちの少なくとも１つを具備する、方法。
【請求項２】
前記帯域は共有帯域である、請求項１の方法。
【請求項３】
前記少なくとも１つのチャネルを使用して前記帯域を通じて通信することは、前記少なくとも１つのチャネルを通じて前記シーケンス値を受信することを具備し、前記方法は、
前記決定されたシーケンス値に基づいてセルを識別することをさらに具備する、請求項１の方法。
【請求項４】
前記少なくとも１つのチャネルを使用して前記帯域を通じて通信することは、前記少なくとも１つのチャネルを通じて前記シーケンス値を受信することを備え、前記方法は、前記決定されたシーケンス値に基づいて前記事業者識別子を決定することをさらに具備する、請求項１の方法。
【請求項５】
前記シーケンス値は同期信号とともに受信され、前記事業者識別子は、前記事業者と関連付けられる基地局から受信されるマスター情報ブロックを復号する前に決定される、請求項４の方法。
【請求項６】
前記シーケンス値を決定することは、
前記事業者識別子に基づいてシーケンス生成器の初期値を決定することを具備する、請求項１の方法。
【請求項７】
前記シーケンス値は参照シーケンスを具備し、前記少なくとも１つのチャネルは、制御チャネル、データチャネル、ランダムアクセスチャネル、物理マルチキャストチャネル、または同期チャネルのうちの少なくとも１つを具備する、請求項１の方法。
【請求項８】
前記決定されたシーケンス値に基づいて少なくとも１つの参照信号を生成することをさらに具備し、
前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号のうちの少なくとも１つを具備する、請求項７の方法。
【請求項９】
前記シーケンス値はさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子のうちの少なくとも１つに基づいて決定される、請求項１の方法。
【請求項１０】
前記事業者識別子は、前記事業者の公衆陸上モバイルネットワーク（ＰＬＭＮ）識別子または前記事業者のサービス識別子のうちの少なくとも１つに基づいて決定される、請求項１の方法。
【請求項１１】
第１の事業者は、前記帯域に関する第２の事業者と関連付けられる第２の事業者識別子とは別の、前記帯域に関する第１の事業者識別子と関連付けられる、請求項１の方法。
【請求項１２】
前記少なくとも１つのチャネルの無線チャネルに関するチャネル品質情報を測定することと、
前記チャネル品質情報と前記事業者識別子とを具備する測定結果報告を基地局に送信することと
をさらに具備する、請求項１の方法。
【請求項１３】
前記事業者識別子は公衆陸上モバイルネットワーク（ＰＬＭＮ）識別子を具備する、請求項１２の方法。
【請求項１４】
前記測定結果報告はさらに、セル識別子を具備する、請求項１２の方法。
【請求項１５】
無線通信用装置であって、
命令を記憶するメモリと前記メモリに接続されるプロセッサと
を具備し、前記命令が実行されると、前記プロセッサは、
帯域を使用する事業者と関連付けられる事業者識別子または前記帯域を使用する前記事業者と関連付けられるクリアチャネルアセスメント（ＣＣＡ）スロットインデックスのうちの少なくとも１つに基づいて、シーケンス値を決定し、
前記決定されたシーケンス値に基づいて、少なくとも１つのチャネルを使用して前記帯域を通じて通信する
ように構成され、前記少なくとも１つのチャネルを使用して前記帯域を通じて通信することは、前記決定されたシーケンス値に基づいて前記少なくとも１つのチャネルのデータをスクランブルすること、または、前記決定されたシーケンス値によって前記少なくとも１つのチャネルのデータをインターリーブすることのうちの少なくとも１つを具備する、無線通信用装置。
【請求項１６】
前記帯域は共有帯域である、請求項１５の装置。
【請求項１７】
前記少なくとも１つのチャネルを使用して前記帯域を通じて通信するように構成された前記プロセッサは、前記命令が実行されると、前記少なくとも１つのチャネルを通じて前記シーケンス値を受信するように構成された前記プロセッサを具備し、
前記プロセッサはさらに、前記命令が実行されると、前記決定されたシーケンス値に基づいてセルを識別するように構成される、請求項１５の装置。
【請求項１８】
前記少なくとも１つのチャネルを使用して前記帯域を通じて通信するように構成された前記プロセッサは、前記命令が実行されると、前記少なくとも１つのチャネルを通じて前記シーケンス値を受信するように構成された前記プロセッサを具備し、
前記プロセッサはさらに、前記命令が実行されると、前記決定されたシーケンス値に基づいて前記事業者識別子を決定するように構成される、請求項１５の装置。
【請求項１９】
前記シーケンス値は同期信号とともに受信され、前記事業者識別子は、前記事業者と関連付けられる基地局から受信されるマスター情報ブロックを復号する前に決定される、請求項１８の装置。
【請求項２０】
前記シーケンス値を決定するように構成された前記プロセッサは、前記命令が実行されると、前記事業者識別子に基づいてシーケンス生成器の初期値を決定するように構成された前記プロセッサを具備する、請求項１５の装置。
【請求項２１】
前記シーケンス値は参照シーケンスを具備し、前記少なくとも１つのチャネルは、制御チャネル、データチャネル、ランダムアクセスチャネル、物理マルチキャストチャネル、または同期チャネルのうちの少なくとも１つを具備する、請求項１５の装置。
【請求項２２】
前記命令が実行されると、前記プロセッサはさらに、
前記決定されたシーケンス値に基づいて少なくとも１つの参照信号を生成するように構成され、前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号のうちの少なくとも１つを具備する、請求項２１の装置。
【請求項２３】
前記シーケンス値はさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子のうちの少なくとも１つに基づいて決定される、請求項１５の装置。
【請求項２４】
前記事業者識別子は、前記事業者の公衆陸上モバイルネットワーク（ＰＬＭＮ）識別子または前記事業者のサービス識別子のうちの少なくとも１つに基づいて決定される、請求項１５の装置。
【請求項２５】
第１の事業者は、前記帯域に関する第２の事業者と関連付けられる第２の事業者識別子とは別の、前記帯域に関する第１の事業者識別子と関連付けられる、請求項１５の装置。
【請求項２６】
前記命令が実行されると、前記プロセッサはさらに、
前記少なくとも１つのチャネルの無線チャネルに関するチャネル品質情報を測定し、
前記チャネル品質情報と前記事業者識別子とを具備する測定結果報告を基地局に送信する
ように構成される、請求項１５の装置。
【請求項２７】
前記事業者識別子は公衆陸上モバイルネットワーク（ＰＬＭＮ）識別子を具備する、請求項２６の装置。
【請求項２８】
前記測定結果報告はさらに、セル識別子を具備する、請求項２６の装置。
【手続補正２】
【補正対象書類名】明細書
【補正対象項目名】０１６５
【補正方法】変更
【補正の内容】
【０１６５】
[0171]本開示の前述の説明は、当業者が本開示を構成または使用することを可能にするために与えられる。本開示に対する様々な修正が当業者には容易に明らかとなり、本明細書において規定された一般原理は、本開示の趣旨または範囲から逸脱することなく他の変形形態に適用され得る。本開示全体にわたって、「例」または「例示的」という用語は、一例または一事例を示すものであり、言及された例に対する選好を暗示せず、または必要としない。したがって、本開示は、本明細書で説明された例および設計に限定されるべきでなく、本明細書で開示された原理および新規の特徴に一致する最も広い範囲を与えられるべきである。
以下に本願発明の当初の特許請求の範囲に記載された発明を付記する。
［Ｃ１］
帯域を使用する事業者と関連付けられる事業者識別子または前記帯域を使用する前記事業者と関連付けられるクリアチャネルアセスメント（ＣＣＡ）スロットインデックスの少なくとも１つに基づいて、シーケンスを決定することと、
前記決定されたシーケンスに基づいて、少なくとも１つのチャネルを使用して前記帯域を通じて通信することとを具備する、無線通信の方法。
［Ｃ２］
前記帯域は共有帯域である、Ｃ１の方法。
［Ｃ３］
前記少なくとも１つのチャネルを使用して前記帯域を通じて通信することは、前記決定されたシーケンスに基づいて前記少なくとも１つのチャネルのデータをスクランブルすること、または、前記決定されたシーケンスによって前記少なくとも１つのチャネルのデータをインターリーブすることの少なくとも１つを具備する、Ｃ１の方法。
［Ｃ４］
前記少なくとも１つのチャネルを使用して前記帯域を通じて通信することは、前記少なくとも１つのチャネルを通じて前記シーケンスを受信することを具備し、前記方法は、
前記決定されたシーケンスに基づいてセルを識別することをさらに具備する、Ｃ１の方法。
［Ｃ５］
前記少なくとも１つのチャネルを使用して前記帯域を通じて通信することは、前記少なくとも１つのチャネルを通じて前記シーケンスを受信することを備え、
前記決定されたシーケンスに基づいて前記事業者識別子を決定することをさらに具備する、Ｃ１の方法。
［Ｃ６］
前記シーケンスは同期信号とともに受信され、前記事業者識別子は、前記事業者と関連付けられる基地局から受信されるマスター情報ブロックを復号する前に決定される、Ｃ５の方法。
［Ｃ７］
前記シーケンスを決定することは、
前記事業者識別子に基づいてシーケンス生成器の初期値を決定することを具備する、Ｃ１の方法。
［Ｃ８］
前記シーケンスは参照シーケンスを具備し、前記少なくとも１つのチャネルは、制御チャネル、データチャネル、ランダムアクセスチャネル、物理マルチキャストチャネル、または同期チャネルの少なくとも１つを具備する、Ｃ１の方法。
［Ｃ９］
前記決定されたシーケンスに基づいて少なくとも１つの参照信号を生成することをさらに具備し、
前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号の少なくとも１つを具備する、Ｃ８の方法。
［Ｃ１０］
前記シーケンスはさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定される、Ｃ１の方法。
［Ｃ１１］
前記事業者識別子は、前記事業者の公衆陸上モバイルネットワーク（ＰＬＭＮ）識別子または前記事業者のサービス識別子の少なくとも１つに基づいて決定される、Ｃ１の方法。
［Ｃ１２］
第１の事業者は、前記帯域に関する第２の事業者と関連付けられる第２の事業者識別子とは別の、前記帯域に関する第１の事業者識別子と関連付けられる、Ｃ１の方法。
［Ｃ１３］
プロセッサと、
前記プロセッサに接続されるメモリとを具備し、前記プロセッサは、
帯域を使用する事業者と関連付けられる事業者識別子または前記帯域を使用する前記事業者と関連付けられるクリアチャネルアセスメント（ＣＣＡ）スロットインデックスの少なくとも１つに基づいて、シーケンスを決定し、
前記決定されたシーケンスに基づいて、少なくとも１つのチャネルを使用して前記帯域を通じて通信する、無線通信用装置。
［Ｃ１４］
前記帯域は共有帯域である、Ｃ１３の装置。
［Ｃ１５］
前記少なくとも１つのチャネルを使用して前記帯域を通じて通信する前記プロセッサは、前記決定されたシーケンスに基づいて前記少なくとも１つのチャネルのデータをスクランブルする前記プロセッサ、または、前記決定されたシーケンスによって前記少なくとも１つのチャネルのデータをインターリーブする前記プロセッサの少なくとも１つを具備する、Ｃ１３の装置。
［Ｃ１６］
前記少なくとも１つのチャネルを使用して前記帯域を通じて通信する前記プロセッサは、前記少なくとも１つのチャネルを通じて前記シーケンスを受信する前記プロセッサを具備し、前記プロセッサはさらに、
前記決定されたシーケンスに基づいてセルを識別する、Ｃ１３の装置。
［Ｃ１７］
前記少なくとも１つのチャネルを使用して前記帯域を通じて通信する前記プロセッサは、前記少なくとも１つのチャネルを通じて前記シーケンスを受信する前記プロセッサを具備し、前記プロセッサはさらに、
前記決定されたシーケンスに基づいて事業者識別子を決定する、Ｃ１３の装置。
［Ｃ１８］
前記シーケンスは同期信号とともに受信され、前記事業者識別子は、前記事業者と関連付けられる基地局から受信されるマスター情報ブロックを復号する前に決定される、Ｃ１７の装置。
［Ｃ１９］
前記シーケンスを決定する前記プロセッサは、前記事業者識別子に基づいてシーケンス生成器の初期値を決定する前記プロセッサを具備する、Ｃ１３の装置。
［Ｃ２０］
前記シーケンスは参照シーケンスを具備し、前記少なくとも１つのチャネルは、制御チャネル、データチャネル、ランダムアクセスチャネル、物理マルチキャストチャネル、または同期チャネルの少なくとも１つを具備する、Ｃ１３の装置。
［Ｃ２１］
前記プロセッサはさらに、前記決定されたシーケンスに基づいて少なくとも１つの参照信号を生成し、
前記少なくとも１つの参照信号は、サウンディング参照信号、復調参照信号、共通参照信号、チャネル状態情報信号、位置参照信号、またはマルチキャスト−ブロードキャスト単一周波数ネットワーク（ＭＢＳＦＮ）参照信号の少なくとも１つを具備する、Ｃ２０の装置。
［Ｃ２２］
前記シーケンスはさらに、セル識別子、またはユーザ機器（ＵＥ）識別子、またはサブフレームインデックス、またはスロットインデックス、またはシンボルインデックス、またはコードワードインデックス、またはサイクリックプレフィックスタイプインデックス、またはマルチキャスト−ブロードキャスト単一周波数ネットワーク（ＭＢＳＦＮ）識別子の少なくとも１つに基づいて決定される、Ｃ１３の装置。
［Ｃ２３］
前記事業者識別子は、前記事業者の公衆陸上モバイルネットワーク（ＰＬＭＮ）識別子または前記事業者のサービス識別子の少なくとも１つに基づいて決定される、Ｃ１３の装置。
［Ｃ２４］
第１の事業者は、前記帯域に関する第２の事業者と関連付けられる第２の事業者識別子とは別の、前記帯域に関する第１の事業者識別子と関連付けられる、Ｃ１３の装置。
［Ｃ２５］
無線チャネルに関するチャネル品質情報を測定することと、
前記チャネル品質情報と事業者識別子とを具備する測定結果報告を基地局に送信することとを具備する、無線通信の方法。
［Ｃ２６］
前記事業者識別子は公衆陸上モバイルネットワーク（ＰＬＭＮ）識別子を具備する、Ｃ２５の方法。
［Ｃ２７］
前記測定結果報告はさらに、セル識別子を具備する、Ｃ２５の方法。
［Ｃ２８］
プロセッサと、
前記プロセッサに接続されるメモリとを具備し、前記プロセッサは、
無線チャネルに関するチャネル品質情報を測定し、
前記チャネル品質情報と事業者識別子とを具備する測定結果報告を基地局に送信する、無線通信用装置。
［Ｃ２９］
前記事業者識別子は公衆陸上モバイルネットワーク（ＰＬＭＮ）識別子を具備する、Ｃ２８の装置。
［Ｃ３０］
前記測定結果報告はさらに、セル識別子を具備する、Ｃ２８の装置。